(57)【要約】【解決手段】側面部材を伴うモジュラパネルを含む建築システムであって、側面部材のうちの少なくとも１つは、隣接する構造の対応する形状の固定具との掛止接続のために、関連付けられた連結具を有し、連結具および固定具は、係合される時には、構造および側面部材をともに係止するように作用し、かつ係脱される時には、構造からパネルを解放するために、パネルと構造との間の遊びを可能にする、係止デバイスによって、ともに保持されるように適応される、建築システム。【選択図】図１
2015525837.tif 000002
【特許請求の範囲】
【請求項１】
側面部材を伴うモジュラパネルを含む建築システムであって、前記側面部材のうちの少なくとも１つは、隣接する構造の対応する形状の固定具との掛止接続のために、関連付けられた連結具を有し、前記連結具および固定具は、係合される時には、前記構造および前記側面部材をともに係止するように作用し、かつ係脱される時には、前記構造から前記パネルを解放するために、前記パネルと構造との間の遊びを可能にする、係止デバイスによって、ともに保持されるように適応される、建築システム。
【請求項２】
前記連結具は、前記構造に対して前記フレームを枢動させる行為によって、前記固定具との前記掛止接続から分離するように構成される、請求項１に記載の建築システム。
【請求項３】
前記パネルは、ヘッド、前記２つの側面部材、およびフーチングによって形成されるフレームを含み、前記側面部材およびフーチング内に画定される空隙、ならびに前記フーチング内の前記空隙上に嵌装される取り外し可能なカバーを伴い、好ましくは、前記空隙は、水パイプ、または電気ケーブル敷設等といった、導管の通過を可能にするように、貫通孔によって、相互接続される、請求項１に記載の建築システム。
【請求項４】
前記パネルは、絶縁材料および／または導管の受容のための内部コンパートメントを伴って形成される壁パネルの形態である、請求項１に記載の建築システム。
【請求項５】
両方の側面部材には、前記フレームの対応する構造いずれの側面との接続のための連結具が提供される、請求項１に記載の建築システム。
【請求項６】
前記側面部材は、前記パネルアセンブリから突起するように配設される装具を収容するように、前記フレームと隣接する構造との間の間隙を画定するように構成される、請求項５に記載の建築システム。
【請求項７】
前記間隙は、前記係止デバイスが適所にあり、かつ係合する時、前記間隙を封止するように、材料片を受容するように設計される、請求項６に記載の建築システム。
【請求項８】
前記システムは、複数のパネルと、支持支柱とを含み、各パネルは、関連付けられた連結具を伴うそれぞれの側面部材を有し、隣接するパネルまたは隣接する支柱のいずれかの形態における隣接する構造と相互接続され、前記パネルは、個々に設置されるように、または隣接するパネルもしくは支柱とは独立して除去されるように適応される、請求項７に記載の建築システム。
【請求項９】
前記パネルは、壁パネル、ドアパネル、窓パネル、またはルーバパネルのうちの１つ以上の組み合わせである、請求項８に記載の建築システム。
【請求項１０】
床アセンブリと、屋根アセンブリとをさらに含む、請求項１に記載の建築システム。
【請求項１１】
ベアラと相互接続される一連の脚から形成される、床アセンブリであって、各ベアラの端部は、それぞれの脚によって支持される前記支柱基部に固定されるブラケットによって、前記関連付けられた脚に対して連結され、前記ベアラは、開放箱セクションを伴って形成され、各ブラケットは、前記基部の補助固定具との掛止接続のための連結具を有する、床アセンブリ。
【請求項１２】
前記ベアラは、前記ベアラが、締結具の受容のために、位置合わせするように、前記ベアラおよびブラケット内の事前形成された孔に好適な位置で、前記関連付けられたブラケット上で下げられることを可能にする、各端部における切り欠きを有する、請求項１１に記載の床アセンブリ。
【請求項１３】
前記ベアラのうちの２つの間に延在する一連の根太をさらに含み、各根太の端部は、および端部取設具によって、前記それぞれのベアラに接続され、前記端部取設具は、前記プレートが、前記開放箱セクションの上部および底部フランジの後ろで、前記ベアラに係止されるまで、前記ベアラの前記箱セクションへ回転させられることによって設置される、カムプレートを含む、請求項１２に記載の床アセンブリ。
【請求項１４】
前記ベアラは、前記開放箱セクションの上部に嵌装される木材インサートを有する、請求項１３に記載の床アセンブリ。
【請求項１５】
前記端部取設具は、締結具によって、前記木材インサートに固定される、請求項１４に記載の床アセンブリ。
【請求項１６】
前記根太およびベアラの上部に装着され、かつ前記木材インサートに固設される、床表面をさらに含む、請求項１５に記載の床アセンブリ。
【請求項１７】
梁と相互接続される一連の支柱を含む、屋根アセンブリであって、各梁の端部は、それぞれの支柱に固定されるブラケットによって、前記関連付けられた支柱に取設され、前記梁は、導管等を受容するように、開放箱構造を伴って形成され、各ブラケットは、前記導管等が前記箱セクションと前記柱の内部との間を通過することを可能にするように、前記関連付けられた支柱内の整合されたアパーチャと連通する開口を伴って形成される、屋根アセンブリ。
【請求項１８】
各ブラケットは、前記柱の補助固定具との掛止接続のための連結具を有する、請求項１７に記載の屋根アセンブリ。
【請求項１９】
前記梁は、前記梁が、締結具の受容のために、位置合わせするように、前記梁およびブラケット内の事前形成された孔に好適な位置で、前記関連付けられたブラケット上で下げられることを可能にする、各端部における切り欠きを有する、請求項１７に記載の屋根アセンブリ。
【請求項２０】
前記梁は、前記開放箱セクションの上部に嵌装される木材インサートを有する、請求項１７に記載の屋根アセンブリ。
【請求項２１】
前記梁の上部に装着される、屋根構造をさらに含む、請求項１７に記載の屋根アセンブリ。
【請求項２２】
請求項１１に記載の床アセンブリと、請求項１７に記載の屋根アセンブリとを含む、請求項１に記載の建築システム。
【発明の詳細な説明】
【技術分野】
【０００１】
本発明は、具体的には、排他的ではないが、モジュラ建築物のための建築システムに関する。
【０００２】
［発明の目的］
本発明は、構築および組立が容易である、建築システムを提供することに努める。
【発明の概要】
【０００３】
１つの広い形態において、側面部材を伴うモジュラパネルを含む建築システムが提供され、側面部材のうちの少なくとも１つは、隣接する構造の対応する形状の固定具との掛止接続のために、関連付けられた連結具を有し、連結具および固定具は、係合される時には、構造および側面部材をともに係止するように作用し、かつ係脱される時には、構造からパネルを解放するために、パネルと構造との間の遊びを可能にする、係止デバイスによって、ともに保持されるように適応される。
【０００４】
好ましくは、連結具は、構造に対してフレームを枢動させる行為によって、固定具との掛止接続から分離するように構成される。
【０００５】
好ましくは、パネルは、ヘッド、２つの側面部材、およびフーチングによって形成されるフレームを含み、側面部材およびフーチング内に画定される空隙、ならびにフーチング内の空隙上に嵌装される取り外し可能なカバーを伴う。好ましくは、空隙は、水パイプ、または電気ケーブル敷設等といった、導管の通過を可能にするように、貫通孔によって、相互接続される。
【０００６】
好ましくは、パネルは、絶縁材料および／または導管の受容のための内部コンパートメントを伴って形成される壁パネルの形態である。
【０００７】
好ましくは、両方の側面部材には、フレームの対応する構造いずれの側面との接続のための連結具が提供される。
【０００８】
好ましくは、側面部材は、パネルアセンブリから突起するように配設される装具を収容するように、フレームと隣接する構造との間の間隙を画定するように構成される。
【０００９】
好ましくは、間隙は、係止デバイスが適所にあり、かつ係合される時、間隙を封止するように、材料片を受容するように設計される。
【００１０】
好ましくは、システムは、複数のパネルと、支持支柱とを含み、各パネルは、関連付けられた連結具を伴うそれぞれの側面部材を有し、隣接するパネルまたは隣接する支柱のいずれかの形態における隣接する構造と相互接続され、パネルは、個々に設置されるように、または隣接するパネルもしくは支柱とは独立して除去されるように適応される。
【００１１】
好ましくは、パネルは、壁パネル、ドアパネル、窓パネル、またはルーバパネルのうちの１つ以上の組み合わせである。
【００１２】
好ましくは、システムは、下で説明される床アセンブリと、屋根アセンブリとを含む。
【００１３】
１つの広い形態において、ベアラ（ｂｅａｒｅｒ）と相互接続される一連の脚から形成される、床アセンブリが提供され、各ベアラの端部は、それぞれの脚によって支持される支柱基部に固定されるブラケットによって、関連付けられた脚に対して連結され、ベアラは、開放箱セクションを伴って形成され、各ブラケットは、基部の補助固定具との掛止接続のための連結具を有する。
【００１４】
好ましくは、ベアラは、ベアラが、締結具の受容のために、位置合わせするように、ベアラおよびブラケット内の事前形成された孔に好適な位置で、関連付けられたブラケット上で下げられることを可能にする、各端部における切り欠きを有する。
【００１５】
好ましくは、床アセンブリは、ベアラのうちの２つの間に延在する一連の根太をさらに含み、各根太の端部は、および端部取設具によって、それぞれのベアラに接続され、端部取設具は、プレートが、開放箱セクションの上部および底部フランジの後ろで、ベアラに係止されるまで、ベアラの箱セクションへ回転させられることによって設置される、カムプレートを含む。
【００１６】
好ましくは、ベアラは、開放箱セクションの上部に嵌装される木材インサートを有する。好ましくは、端部取設具は、締結具によって、木材インサートに固定される。
【００１７】
好ましくは、床アセンブリは、根太およびベアラの上部に装着され、かつ木材インサートに固設される、床表面を含む。
【００１８】
別の広い形態において、梁と相互接続される一連の支柱を含む、屋根アセンブリが提供され、各梁の端部は、それぞれの支柱に固定されるブラケットによって、関連付けられた支柱に取設され、梁は、導管等を受容するように、開放箱構造を伴って形成され、各ブラケットは、導管等が箱セクションと前記柱の内部との間を通過することを可能にするように、関連付けられた支柱内の整合されたアパーチャと連通する開口を伴って形成される。
【００１９】
好ましくは、各ブラケットは、前記柱の補助固定具との掛止接続のための連結具を有する。
【００２０】
好ましくは、梁は、梁が、締結具の受容のために、位置合わせするように、梁およびブラケット内の事前形成された孔に好適な位置で、関連付けられたブラケット上で下げられることを可能にする、各端部における切り欠きを有する。
【００２１】
好ましくは、梁は、開放箱セクションの上部に嵌装される木材インサートを有する。
【００２２】
好ましくは、屋根アセンブリは、梁の上部に装着される、屋根構造を含む。
【図面の簡単な説明】
【００２３】
本発明は、ほんの非限定的な例として、添付の図面を参照して、説明される。
【図１】構築装置の部分的斜視図である。
【図２】取設されたベアラを伴う、脚および支柱基部の斜視図である。
【図３ａ】ブラケットの平面図である。
【図３ｂ】ブラケットの前面図である。
【図３ｃ】ブラケットの側面図である。
【図３ｄ】ブラケットの斜視図である。
【図４ａ】ベアラの側面図である。
【図４ｂ】ベアラの部分的斜視図である。
【図４ｃ】ベアラの端面図である。
【図４ｄ】ベアラの底面図である。
【図５】取設されたベアラおよび根太を伴う、支柱基部の斜視図である。
【図６ａ】取設具の後面図である。
【図６ｂ】取設具の側面図である。
【図６ｃ】取設具の後面斜視図である。
【図７】屋根構造および支持梁の斜視図である。
【図８ａ】支柱の平面図である。
【図８ｂ】支柱の側面図である。
【図８ｃ】支柱の側面図である。
【図８ｄ】支柱の斜視図である。
【図９】モジュラパネルの分解図である。
【図１０】２つのパネル間の接続を例解する断面図である。
【図１１】パネルの分離を例解する。
【図１２】他方のパネルから解放されているパネルのうちの一方を例解する。
【図１３】パネルをともに係止するために使用されるデバイスの挿入を例解する斜視図である。
【図１４】設置された係止デバイスを例解する。
【図１５ａ】係止デバイスのうちの１つの分解断面である。
【図１５ｂ】係止デバイスの斜視図である。
【図１６】封止片を伴う、設置された係止デバイスを例解する。
【図１７】図９のモジュラパネルの基部の部分的断面図である。
【図１８】リブ付きの床プレートの端面図である。
【図１９ａ】片の端面図である。
【図１９ｂ】片の斜視図である。
【図２０】建築アセンブリの別の実施例の平面図である。
【図２１】ドアの形態のモジュラパネルの分解斜視図である。
【図２２】ルーバ付きのモジュラパネルの分解斜視図である。
【発明を実施するための形態】
【００２４】
最初に図１を参照すると、建築アセンブリ１は、床アセンブリ２と、モジュラパネル３と、屋根アセンブリ４とを含むとして示される。例解されるパネル３は、形態壁パネル５、ドアパネル６、またはルーバ窓パネル７であるが、それらのパネルまたは他の好適な設計のパネルの任意の他の組み合わせが考慮され得る。
【００２５】
床アセンブリ２は、相互接続するベアラ１１および根太１２を伴う一連の脚１０から形成され、その上に、床表面１３が装着される。脚１０は、屋根アセンブリ４まで延在する支柱１４を支持し、順に屋根１６またはオーバヘッド床を支持する屋根梁１５を支持する。
【００２６】
脚１０は、好ましくは、脚が、準備された基礎の上部上に位置付けられ、次いで、適切なレベリングのために調節されることを可能にする、高さ調節可能な基部プレート（図示せず）を有する。基部プレートは、基礎に対して脚を設定するように、後の段階において設置される、化学アンカを受け入れるように事前穿孔されてもよい。
【００２７】
ブラケット２０（図３でより詳細に説明されるような）は、支柱１４のうちの１つから突起している示し、この形態のブラケットは、梁１５およびベアラ１１の全てをそれぞれの支柱１４に相互接続するために使用される。
【００２８】
ここで図２を参照すると、脚１０のうちの１つは、関連付けられた支柱１４の基部１８を支持するとして示される。代替的に、基部１８は、上で支柱１４に接合されるスリーブの形態であってもよい。いずれの場合においても、基部１８は、下部のブラケット２０内の孔と整合する事前形成された孔２２を通過する締結具２１によってそこに接続されるベアラ１１を有する。
【００２９】
接続ブラケット２０が、図３に例解される。図３ａは、Ｕ形状であり、かつ２つの平行ブレード２３と、支柱１４上の対応する固定具３０と接続するためのフック形状の連結具２５を伴うブリッジングセクション２４とを有する、ブラケット２０の平面図を示す。図３ｂにおいて、ブリッジングセクション２４は、装着アパーチャ２６および中央開口２７を含むとして示される。図３ｃにおいて、ブレード２３は、ベアラ１１内の孔２２と一致する一列の孔２８を有するとして例解される。図３ｄは、ブラケット２０の斜視図を示す。見ることができるように、装着アパーチャ２６は、ブリッジングセクション２４、および連結具２５も通過する。
【００３０】
使用中、装着ブラケット２０は、連結具２５を固定具３０に掛止することによって、支柱に装着される。次いで、ブラケット２０は、装着アパーチャ２６を通して固定されるボルトによって、適所に固設されてもよい。
【００３１】
図４ａに関して、ベアラ１１は、側面プロファイルで示される、複合箱セクションを有する。接続孔２２は、いずれの端部３１にも提供される。上部および底部フランジ３２、３３は、ベアラ１１の長さに沿って延在する。図４ｂにおいて、ベアラ１１は、端部３１にカットアウト３４を伴う、開放箱セクションを有するとして示される。図４ｃは、開放箱セクションが、ベアラ１１の長さ全体を通して一定のプロファイルであることを例解する端面図であり、一方、図４ｄは、カットアウト３４が、ベアラ１１の両方の端部３１内に形成されることを示す。
【００３２】
ベアラ１１の端部３１におけるカットアウト３４は、締結具を使用して、ベアラ１１をブラケット２０に固設しつつ、ベアラ１１が、関連付けられたブラケット２０に下げられること、および適所に支持されることを可能にする。
【００３３】
ここで図５を参照すると、木材インサート３５は、ベアラ１１の上部に嵌装され、追加の締結具３６は、それぞれの木材根太１２のための土台を提供するように、取設具３７を木材インサート３５に固定するために使用され、順にこれは、ネジを介して取設具３７に取設される。
【００３４】
湿潤領域が提供されることになっている場合、湿潤領域の床根太１２は、低下背水の浴室床（図示せず）が設置されることを可能にするように、残りの床根太よりも低いレベルである。
【００３５】
取設具３７のうちの１つの後面図が、図６ａおよび図６ｂに示される。取設具３７は、主プレート３８と、２つの直径方向に対向した湾曲した表面４０および隣接する平坦な表面４１を伴うカムプレート３９とを有する。図６ｃの斜視図において、カムプレート３９は、フレア状のプロファイル４２を有するとして見ることができる。取設具３７の使用中、フレア状のプロファイル４２は、ベアラ１１に横向きの配向で挿入され、平坦な表面４１がフランジ３２、３３と接続するまで、湾曲した表面４０がそれぞれ、上および下フランジ３２、３３の後部側面に係合するように、回転させられる。さらなる回転は、平坦な表面４１のフランジ３２、３３との係合によって阻止され、その時、取設具を適所に固定するために、締結具を採用することができる。例解される取設具は、ベアラ１１に面して、取設具３７を時計回りの方向に回転させることによって、係止された位置に回転させられる。第２の取設具は、根太１２を反対のベアラに取設するために使用され、その第２の取設具もまた、取設具を反対のベアラに装着するように、時計回りに回転させられる。これは、いったん取設具が設置されてからの偶発的な係止解除する回転をさらに阻止するように、互いに対して作用する、根太１２の各端部における２つの取設具という結果を有する。
【００３６】
図１に戻って参照すると、梁１５は、支柱１４の上端部４３に接続されて示される。ベアラ１１のような梁１５はまた、床アセンブリ２の上の約２．７メートルの高さで、下部のブラケット２０に梁１５を接続する締結具を介して、関連付けられたブラケット２０上に装着される。支柱１４が２．７メートルよりも高く続く場合、第２のブラケットがさらに上に取設されてもよい。梁１５はまた、締結具が梁１５を適所に固設しつつ、梁１５が関連付けられたブラケット２０上に位置付けられることを可能にする、カットアウトを有する。支柱１４内に形成されるアパーチャとの中央開口２７の整合は、梁１５と支柱１４の内側との間の開口を通じて自由に通過するように、電気ケーブル敷設等といった導管（図示せず）のためのアクセス通路を提供する。したがって、導管は、梁の開放箱セクションによって画定される空隙において、ならびに必要とされる際に、支柱１４の内部で、梁１５の上下に設けることができる。取り外し可能な側面カバープレートは、梁の空隙を閉鎖するように提供されてもよい。
【００３７】
木材インサート４４は、図７に示されるように各梁１５の上部に嵌装され、これは、くぎ４６によって梁１５に固設することができる屋根構造４５を支持する。屋根構造４５は、必要とされる場合、絶縁材料といった複合材料で事前作製および形成することができる。屋根構造４５は、専用固定部品および専用封止で固定され、専用雨押えトリムおよび雨樋を使用して仕上げてもよい。システム１の設計が、傾斜する差し掛け屋根を含む場合、傾斜するセクションを構成する傾斜する複合パネルを、代わりに、梁１５の木材インサート４４に嵌装して、屋根の傾斜を形成することができる。これらの傾斜する複合パネルは、上部縁部内にチャネル形状を有し、これは、梁１５に嵌装されるものと同様の木材インサート４４の嵌装を可能にする。
【００３８】
ここで図８ａを参照すると、支柱１４は、中央空隙４６、および周辺の周りの固定具３０を伴って示される。固定具３０は、連結具２５の構成に一致するように、フック形状を有する。この実施例において、支柱１４は、互いに対して直角に３つの隣接する固定具３０を提供する。しかしながら、支柱１４は、代替的により少ない固定具の、必要とされる場合、第４の固定具で形成されてもよい。支柱はまた、固定具３０の横方向の突起４７いずれの側面を有し、戻り縁部４８が、空隙４９を画定するように、それぞれの固定具３０に向かって後に面する。図８ｂ〜８ｄに見られるように、縁部４８および固定具３０は、支柱の長さに延在する。
【００３９】
ここで図９を参照すると、モジュラパネル３は、ヘッド５３、巾木フーチング５４、および相互接続側面部材５６によって形成される、フレーム５２内の主本体５１を伴う壁パネル５０の形態で例解される。各側面部材５６は、側面部材５６の長さに下に延在する、連結具２５を有する。ヘッド５３は、パネル５０の上部にわたって接続する、内および外シェル５７、５８から形成される。一連の開口５９がヘッド５３の長さに沿って提供され、これらは、フーチング５４内の対応する開口６０と整合する。開口５９、６０は、電気配線または網状パイプ（図示せず）の形態の導管を、ヘッド５３を通って、パネル５０の内部に、かつフーチング５４の中へ設けることを可能にする。
【００４０】
フーチング５４は、隣接するパネルアセンブリといった隣接する構造の中への通過のために、導管を受容し、それらが側面部材５６内の開口６３を通過することを可能にするように、空隙６２を画定する、開放チャネル６１の形態である。巾木カバープレートは、空隙６２を閉鎖するために、チャネル６１上に嵌装されてもよい。
【００４１】
パネル５０の主本体５１は、５つの等しいサイズのコンパートメント６４に分割され、各コンパートメント６４は、パネル５０を通るパイプまたはケーブルといった導管を担持するように、およびその間の空気間隙／アクセス通路を伴って、絶縁材６５を受容して、パネル５０の熱的特性を増強するように、適応される。
【００４２】
ここで図１０を参照すると、パネル５０は、掛止関係で相互接続されているそれぞれの連結具２５によって、別のモジュラパネル５０の形態の隣接する構造６６に接続されて示される。各フレーム５２の側面部材５６は、連結具２５に面する戻り縁部６８を有する突起６７によって、連結具の空隙７０画定されるいずれの側面を伴って、側面部材５６の中央に配設される連結具２５を有することに留意されたい。各側面部材５６と関連付けられる連結具２５および突起６７の構成は、上で説明されるような支柱上に提供されるものと同じであることに留意されたい。したがって、隣接構造は、代わりに、支柱１４であり得、次いで、連結具２５は、支柱の固定具３０と接続するであろう。
【００４３】
パネル５０を分離するために、パネル５０のうちの一方は、他方に対して枢動されて、図１１に例解されるように、連結具２５を外す。図１２に示される場所に対する、パネルのうちの一方のさらなる回転は、パネル５０が互いから解放されることを可能にする。
【００４４】
連結具２５が相互接続するように、パネル５０がともに閉鎖される時、図１３に示されるような係止デバイス７１は、２つのパネル５０間に画定される空隙７０の中に降下させることができる。図１４に示されるように、デバイス７１は、側面部材５６に対して押し、連結具２５をともに強制的に係止させるように、鍵７３によって係合される、拡張部品７２の形態である。
【００４５】
係止デバイス７１のうちの１つが、図１５により詳細に示される。デバイスは、ピン７６のネジ螺合された受容のための貫通ボア７５を伴うブロック７４を含む。弾性バンド７７は、内方に先細のランプ８０を把持するアーム７９を伴うブロック７４の低減された寸法のパーツ７８の周りに嵌装される。バンド７７は、ピン７６のためのベアリング表面８１を提供する。動作中、鍵７３は、バンド７７が係合され、ブロック７４から強制的に離されて、アーム７９をランプ８０に沿って拡張させるまで、ブロック７４にピン７６を回し込むために使用される。アーム７９の拡張は、ベアリング表面８１およびバンド７７が、ブロック７４から離れて、かつ連結具の後表面に対して押され、それによって、連結具２５をともに係止するように、側面部材５６を強制的に離す。ブロック７４は、アーム７９の外方への移動を、関連付けられた側面部材５６の対向した壁によって妨げないために、バンド７７が示されるものに対して９０°の配向で嵌装されるように、代替的に構成されてもよい。
【００４６】
図１６を参照すると、いったん係止デバイス７１が適所にあると、材料片８２このようなゴム引きガスケットは、ウェザーシールを提供するために、ある目的で作製されたツールで間隙８３内に挿入され、パネル５０間の陥凹８４内に位置付けられ得る。間隙８３はまた、間隙８３を通って、かつ空隙７０内に固定具を装着させることによって、固定具をパネルに装着するために利用することができる。かかる固定具は、内部棚もしくはキャビネット取設具、クラッド、壁カバーリング、または外部シェードオーニングを含む場合がある。絵固定スロットは、絵を吊設する固定具が壁パネルに沿って設置されることを可能にするように、パネル５０の上部に提供されてもよい。
【００４７】
ここで図１７を参照すると、パネル５０の下セクション８５が、適所にある巾木カバー８９を伴って示される。側面部材５６およびチャネル６１は、導管がパネル５０の外周の周りを自由に通過することができることを確実にするように、それぞれの開口８６、８７を有する。フーチング５４もまた、支柱１４と整合した状態になるように、パネル５０が床アセンブリ２に対して既定の位置に位置することを可能にする、リブプロファイル８８を含むとして明確に示される。
【００４８】
図１８は、対応するプロファイルを有する、リブ付きの床プレート９０を示す。床プレート９０は、使用中、パネル５０を位置および整合させるように、支柱１４と一直線に床アセンブリ２上に位置付けられる。パネル５０を、支柱１４のうちの１つまたは隣接するパネル５０といった隣接する構造に接続するために、パネル５０は、連結具２５が、支柱１４の対応する固定具、または他のパネル５０の対応する掛止された連結具２５と係合することができるように、適所に枢動される必要がある。パネル５０が枢動されるにつれて、フーチング５４は、床プレート９０の上に上昇し、次いで、床プレート９０のプロファイルおよびフーチング５４が互いと位置合わせする時、適所に降下する。次いで、パネル５０は、フーチング５４内の事前穿孔された孔を通してネジを固定することによって、床アセンブリ２に固定することができる。
【００４９】
パネル５０が床プレート９０の上に降下するにつれて、屋根アセンブリ４の梁１５とパネル５０のヘッド５３との間で、パネル５０の上部に、空間が創出される。この空間は、適切な張力調整ネジを使用して適所に固設される、図１９に示されるものといった、事前サイズ決定されたＴ字に切断された片９１で充填されてもよい。
【００５０】
ここで図２０を参照すると、建築システム１が、平面図において例解される。システム１は、極細線９２によって示されるような、等しいグリッドセクションに分割される。各極細線９２は、パネル５０の各々の側面部材５４の位置を示す。したがって、全体のシステム１は、好ましくは、モジュラパネル５０の各々が実質的に約１０００ｍｍの幅である、グリッド様構造にある。例解されるように、グリッド内のパネル５０は、支柱１４または隣接するパネル５０のいずれかに直接接続される。各パネル５０は、関連する係止デバイス７１を除去すること、および除去のために、他のパネルとの線から外れてパネル５０を枢動させることによって、必要とされる際、容易に交換され得る。
【００５１】
上で説明されるパネル５０は、完全に包囲された壁パネル５を担持する。しかしながら、必要とされる際、他の形態のパネルが、システム１の中に嵌装されてもよい。例えば、図２１は、フレーム９５の中に嵌装される全高ドア９４を伴う、モジュラ全長ドアパネル９３を例解する一方、図２２は、ルーバ付き窓パネル７を例解する。代替的に、上で説明されるモジュラパネル５０のうちの２つの空間を占めるが、隣接するパネルまたは支柱との接続に依然として好適である、フレーム内に担持される、スライディングドアまたは両開きのドアを有する、パネルアセンブリ構成（図示せず）が採用され得る。
【００５２】
いずれの場合においても、システム１は、ブラケット、支柱、ベアラ、梁、およびパネルアセンブリの形態の、様々な製造されたおよび事前仕上げされた建築要素およびモジュラ構成要素を備えることを理解されたい。これらの建築要素は、説明されるシステム１のために具体的にオーダーメイドされてもよく、建築プロジェクトを、建築要素と互換性のある形式において設計することができる。
【００５３】
要素は、プロジェクトロットにパッケージ化され、建築現場に送達されてもよい。基礎および地下設備を含む、種々の現場作業の完了後、建築要素は、設計された建築物を創出するように、現場で組み立てられる。
【００５４】
組み立て過程は、事前サイズ決定された建築要素をともに、専用コネクタ、固定具、および装具、ならびに事前穿孔された孔と接続することを含む。
【００５５】
建築過程の完了時に、電気、通信、配管、および排水設備が設置される。取り外し可能なアクセスパネル、ならびにモジュラパネルおよび梁内の一連の一体化されたアクセス通路および空隙は、この作業が、建築物の完了後に実施されることを可能にする。
【００５６】
より具体的には、取り外し可能な梁および空隙カバーは、構築段階中に多数の設置段階を必要とすることなく、建築段階が完了した後、１回の訪問で、完全な電気、通信、配管の網状ネットワークを設置することができるように、ダクト、ケーブル通路、およびアクセス空隙を相互接続する完全なネットワークへのアクセスを可能にする。各梁は、梁のウェブに割り込むアクセス孔を伴って、中空である。貫通孔は、ケーブルまたはパイプが通過することを可能にするように、梁レベルで各支柱に割り込む。上で説明されるように、壁パネルは、上部から底部への絶縁材料の層を受容するコンパートメントを伴って形成される。コンパートメントは、パネルのヘッド内および巾木フーチング内のアクセス孔と一列に並ぶ。コンパートメントは、ケーブルまたはパイプといった導管が通過することを可能にする。これは、ダクト巾木に面する、電力ポイント、または他のコンセント、または接続ポイントの設置のために、ダクト巾木まで、およびそれに沿って、ケーブルを設けるための多くのオプションを提供する。これらのコンパートメントはまた、パネルアセンブリの面上、内部、または外部のどこでも、接続ポイントを可能にする。このアクセスはまた、仕上げた表面への損傷を伴うことなく、いつでも、設備への容易な修正または追加を可能にする。
【００５７】
システムの設計は、ある建築要素およびモジュラパネルの除去および置換を可能にし、建築物の拡張または低減、ならびにいずれの建築要素の全部もしくは一部の再構成または分解および再使用を容易にする。
【００５８】
また、可能な限り多くのシステムの要素が、引き抜き成形の過程によって作製されるように設計され、これは、要素を安価かつ効率的に製造することができるということを意味する。
【００５９】
次いで、構築システムは、特に、建築物に適用される時、標準的な複合の事前寸法決定された、事前穿孔された、および事前仕上げされた構成要素から形成されている種々の要素からの利点を実現することを理解されたい。これらの構成要素は、ほとんど、引き抜き成形過程を使用して大量生産することができる。構成要素は、莫大な数の異なる構成において組み立てることができ、したがって、様々な異なる使用のために、様々な設計およびサイズの１階および多階の両方の広範な建築物を生産することができる。
【００６０】
建築物は、最小量の機器および熟練労働者でもって組み立てることができる。全ての接続は、事前穿孔された孔へのボルトもしくはネジによるもの、または専用固定を使用したものである。組み立て過程において、切断または仕上げは、必要とされない。全ての設備は、構築が完了した後に、嵌装され、いずれの段階においても、修正することができる。広範なキャビネットおよび窓およびドアを、システムに組み込むことができる。建築物は、繰り返し、再構成または分解、および再使用することができる。壁モジュールは、隣接するモジュール、支柱、または他の建築要素を妨害することなく、除去および再構成することができる。全ての構成要素は、軽量に設計され、揚重機器の必要性を排除する。全ての構成要素は、世界中の低廉な輸送のためにコンテナ化することができる。耐久性のある複合材料は、極めて長い寿命を確実にする。製造方法および構成要素の現場への単回送達は、廃棄物低減、作業者の安全の増加、および車両移動の低減を確実にする。
【００６１】
建築システムを参照することによって、本発明を説明してきたが、モジュラパネルはまた、パネルが隣接するパネルとは独立して交換され得る、任意の他の形態の構築における用途を有する。
【００６２】
本発明は、ほんの非限定的な例として説明され、多くの修正および改変が、説明される本発明の精神および範囲から逸脱することなく、それに行われ得る。
【符号の説明】
【００６３】
１…建築アセンブリ
２…床アセンブリ
３…モジュラパネル
４…屋根アセンブリ
５…壁パネル
６…ドアパネル
７…窓パネル
１０…脚
１１…ベアラ
１２…根太
１３…床表面
１４…支柱
１５…梁
１６…屋根
１８…基部
２０…ブラケット
２１…締結具
２２…孔
２３…ブレード
２４…ブリッジングセクション
２５…連結具
２６…アパーチャ
２７…開口
２８…孔
３０…固定具
３１…端部
３２…上部フランジ
３３…底部フランジ
３４…カットアウト
３５…木材インサート
３６…締結具
３７…取設具
３８…主プレート
３９…カムプレート
４０…湾曲した表面
４１…平坦な表面
４２…フレア状のプロファイル
４３…上端部
４４…木材インサート
４５…屋根構造
４６…中央空隙
４７…突起
４８…縁部
４９…空隙
５０…壁パネル
５１…主本体
５２…フレーム
５３…ヘッド
５４…巾木フーチング
５６…側面部材
５７…内シェル
５８…外シェル
５９…開口
６０…開口
６１…チャネル
６２…空隙
６３…開口
６４…コンパートメント
６５…絶縁
６６…構造
６７…突起
７０…空隙
７１…係止デバイス
７２…拡張部品
７３…鍵
７４…ブロック
７５…ボア
７６…ピン
７７…バンド
７８…パーツ
７９…アーム
８０…ランプ
８１…ベアリング表面
８２…片
８３…間隙
８４…陥凹
８５…下セクション
８６…開口
８７…開口
８８…リブプロファイル
８９…カバー
９０…床プレート
９１…片
９２…極細線
９３…ドアパネル
９４…ドア
９５…フレーム
【図１】
2015525837.tif 000003
【図２】
2015525837.tif 000004
【図３ａ】
2015525837.tif 000005
【図３ｂ】
2015525837.tif 000006
【図３ｃ】
2015525837.tif 000007
【図３ｄ】
2015525837.tif 000008
【図４ａ】
2015525837.tif 000009
【図４ｂ】
2015525837.tif 000010
【図４ｃ】
2015525837.tif 000011
【図４ｄ】
2015525837.tif 000012
【図５】
2015525837.tif 000013
【図６ａ】
2015525837.tif 000014
【図６ｂ】
2015525837.tif 000015
【図６ｃ】
2015525837.tif 000016
【図７】
2015525837.tif 000017
【図８ａ】
2015525837.tif 000018
【図８ｂ】
2015525837.tif 000019
【図８ｃ】
2015525837.tif 000020
【図８ｄ】
2015525837.tif 000021
【図９】
2015525837.tif 000022
【図１０】
2015525837.tif 000023
【図１１】
2015525837.tif 000024
【図１２】
2015525837.tif 000025
【図１３】
2015525837.tif 000026
【図１４】
2015525837.tif 000027
【図１５ａ】
2015525837.tif 000028
【図１５ｂ】
2015525837.tif 000029
【図１６】
2015525837.tif 000030
【図１７】
2015525837.tif 000031
【図１８】
2015525837.tif 000032
【図１９ａ】
2015525837.tif 000033
【図１９ｂ】
2015525837.tif 000034
【図２０】
2015525837.tif 000035
【図２１】
2015525837.tif 000036
【図２２】
2015525837.tif 000037
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
側面部材を伴うモジュラパネルを含む建築システムであって、前記側面部材のうちの少なくとも１つは、隣接する構造の対応する形状の固定具との掛止接続のために、前記側面部材の縦方向に延在する、関連付けられた連結具を有し、前記連結具は、係合される時には、前記連結具および固定具をともに促して、前記構造を前記側面部材に係止するように作用し、かつ係脱される時には、前記構造から前記パネルを解放するために、前記パネルと構造との間の遊びを可能にする、それぞれの拡張部品の受容のために、前記連結具の空隙いずれの側面を画定するように、前記側面部材から外方に突起する、建築システム。
【請求項２】
前記連結具は、前記構造に対して前記フレームを枢動させる行為によって、前記固定具との前記掛止接続から分離するように構成される、請求項１に記載の建築システム。
【請求項３】
前記パネルは、ヘッド、前記２つの側面部材、およびフーチングによって形成されるフレームを含み、前記フーチング内の前記空隙上に嵌装される取り外し可能なカバーを伴い、前記連結具の前記空隙いずれの側面および前記フーチング内の前記空隙は、水パイプ、または電気ケーブル敷設等といった、導管の通過を可能にするように、貫通孔によって、相互接続される、請求項１に記載の建築システム。
【請求項４】
前記パネルは、絶縁材料および／または導管の受容のための内部コンパートメントを伴って形成される壁パネルの形態である、請求項１に記載の建築システム。
【請求項５】
両方の側面部材には、前記フレームの対応する構造いずれの側面との接続のための連結具が提供される、請求項１に記載の建築システム。
【請求項６】
前記側面部材は、前記パネルアセンブリから突起するように配設される装具を収容するように、前記フレームと隣接する構造との間の間隙を画定するように構成される、請求項５に記載の建築システム。
【請求項７】
前記間隙は、前記拡張部品が適所にあり、かつ係合される時、前記間隙を封止するように、材料片を受容するように設計される、請求項６に記載の建築システム。
【請求項８】
前記システムは、複数のパネルと、支持支柱とを含み、各パネルは、関連付けられた連結具を伴うそれぞれの側面部材を有し、隣接するパネルまたは隣接する支柱のいずれかの形態における隣接する構造と相互接続され、前記パネルは、個々に設置されるように、または隣接するパネルもしくは支柱とは独立して除去されるように適応される、請求項７に記載の建築システム。
【請求項９】
前記パネルは、壁パネル、ドアパネル、窓パネル、またはルーバパネルのうちの１つ以上の組み合わせである、請求項８に記載の建築システム。
【請求項１０】
床アセンブリと、屋根アセンブリとをさらに含む、請求項１に記載の建築システム。
【請求項１１】
ベアラと相互接続される一連の脚から形成される、床アセンブリであって、各ベアラの端部は、それぞれの脚によって支持される前記支柱の基部に固定されるブラケットによって、前記関連付けられた脚に対して連結され、
前記ベアラは、開放箱セクションを伴って形成され、各ブラケットは、前記基部の補助固定具との掛止接続のための連結具を有し、
前記ベアラは、前記ベアラが、締結具の受容のために、位置合わせするように、前記ベアラおよびブラケット内の事前形成された孔に好適な位置で、前記関連付けられたブラケット上で下げられることを可能にする、各端部における切り欠きを有し、
前記アセンブリは、前記ベアラのうちの２つの間に延在する一連の根太をさらに含み、各根太の端部は、および端部取設具によって、前記それぞれのベアラに接続され、前記端部取設具は、前記プレートが、前記開放箱セクションの上部および底部フランジの後ろで、前記ベアラに係止されるまで、前記ベアラの前記箱セクションへ回転させられることによって設置される、カムプレートを含み、
各カムプレートは、設置のための単一方向回転、次いで、さらなる回転に対して係止することを可能にし、前記関連付けられた根太の各端部における前記カムプレートは、互いに対して作用し、それにより、偶発的な係止解除する回転に対して前記根太を固設する、床アセンブリ。
【請求項１２】
前記ベアラは、前記開放箱セクションの上部に嵌装される木材インサートを有する、請求項１１に記載の床アセンブリ。
【請求項１３】
前記端部取設具は、締結具によって、前記木材インサートに固定される、請求項１２に記載の床アセンブリ。
【請求項１４】
前記根太およびベアラの上部に装着され、かつ前記木材インサートに固設される、床表面をさらに含む、請求項１３に記載の床アセンブリ。に記載の床アセンブリ。
【請求項１５】
梁と相互接続される一連の支柱を含む、屋根アセンブリであって、各梁の端部は、それぞれの支柱に固定されるブラケットによって、前記関連付けられた支柱に取設され、前記梁は、導管等を受容するように、開放箱構造を伴って形成され、各ブラケットは、前記導管等が前記箱セクションと前記柱の内部との間を通過することを可能にするように、前記関連付けられた支柱内の整合されたアパーチャと連通する開口を伴って形成される、屋根アセンブリ。
【請求項１６】
各ブラケットは、前記柱の補助固定具との掛止接続のための連結具を有する、請求項１５に記載の屋根アセンブリ。
【請求項１７】
前記梁は、前記梁が、締結具の受容のために、位置合わせするように、前記梁およびブラケット内の事前形成された孔に好適な位置で、前記関連付けられたブラケット上で下げられることを可能にする、各端部における切り欠きを有する、請求項１５に記載の屋根アセンブリ。
【請求項１８】
前記梁は、前記開放箱セクションの上部に嵌装される木材インサートを有する、請求項１５に記載の屋根アセンブリ。
【請求項１９】
前記梁の上部に装着される、屋根構造をさらに含む、請求項１５に記載の屋根アセンブリ。
【請求項２０】
請求項１１に記載の床アセンブリと、請求項１５に記載の屋根アセンブリとを含む、請求項１に記載の建築システム。
【国際調査報告】
2015525837.tif 000038
2015525837.tif 000039
2015525837.tif 000040
2015525837.tif 000041
2015525837.tif 000042
2015525837.tif 000043
2015525837.tif 000044
2015525837.tif 000045
2015525837.tif 000046